(57)【要約】【課題】物品の緩衝機能を有する収納ボックス内への物品の保持作業（装入作業）、及び物品が装入されたボックス内の物品の取出作業の効率化を図ることができる物品保持部材や、該物品保持部材が嵌入されている収納ボックスである物品保持ボックスを提供すること。また、物品保持ボックスへの簡便な１ステップ物品装入方法を提供すること。【解決手段】矩形状の基板と、該基板に隣接する一方の対向する周縁部位を上方側へ、他方の対向する周縁部位を下方側へ、各々約９０度折り曲げて形成された、それぞれ一対の折曲げ上辺部及び折曲げ下辺部と、その両端が前記一対の折曲げ下辺部に固着され、前記基板の全面にわたって架け渡されてなる可撓性を有すシート部材とを有し、前記可撓性を有すシート部材には、基板とシート部材との間に物品を挟持して保持するためのスリット状の物品挿入口が設けられている物品保持部材。【選択図】図１
2020001735.tif 000002
【特許請求の範囲】
【請求項１】
矩形状の基板と、該基板に隣接する一方の対向する周縁部位を上方側へ約９０度折り曲げ、他方の対向する周縁部位を下方側へ折り曲げて形成された、それぞれ一対の折曲げ上辺部及び折曲げ下辺部と、その両端が前記一対の折曲げ下辺部に固着され、前記基板の全面にわたって架け渡されてなる可撓性を有すシート部材とを有し、前記可撓性を有すシート部材には、基板とシート部材との間に物品を装入するためのスリット状の物品挿入口が設けられていることを特徴とする物品保持部材。
【請求項２】
他方の対向する周縁部位が、下方側へ約９０度折り曲げられていることを特徴とする請求項１記載の物品保持部材。
【請求項３】
可撓性を有すシート部材が、折曲げ上辺部に隣接する基板両端部にも固着されていることを特徴とする請求項１又は２記載の物品保持部材。
【請求項４】
折曲げ下辺部の高さ方向の長さをｂ、基板の折曲げ下辺部同士の間の長さをａとしたとき、ｂ：ａが１：５〜１：７であることを特徴とする請求項１〜３のいずれか記載の物品保持部材。
【請求項５】
一対の折曲げ上辺部が、各両端部において約９０度外側に折り曲げられて、緩衝上端片を形成していることを特徴とする請求項１〜４のいずれか記載の物品保持部材。
【請求項６】
一対の折曲げ上辺部が、そのほぼ中央部に取手孔を有することを特徴とする請求項１〜５のいずれか記載の物品保持部材。
【請求項７】
請求項１〜６のいずれか記載の物品保持部材が嵌入されたことを特徴とする物品保持ボックス。
【請求項８】
請求項７記載の物品保持ボックスの上蓋を開け、物品保持部材の可撓性シート部材のスリット状の物品挿入口から物品を装入することを特徴とする物品の保持方法。
【発明の詳細な説明】
【技術分野】
【０００１】
本発明は、少量の板状段ボール資材及び可撓性フィルムから構成される物品保持部材や、該物品保持部材が収納ボックスに嵌入された物品保持ボックスや、該物品保持ボックスに壊れやすい物品を保持・収納する方法に関する。
【背景技術】
【０００２】
従来より、宝石、化粧料、アルコール等の高級嗜好品類や、カメラ、スマホ、時計、パソコン等の精密機器類のように、外側からの衝撃に対して破壊又は破損しやすい物品は、当該物品の運搬時に包装容器内にてガタつくことがないこと及び外部からの衝撃を吸収する手段をその周囲に配して包装されている。そして、物品を保持する緩衝部材としては、折曲板体と可撓性フィルムとを備える保持・緩衝部材がいくつか提案されている。例えば、周縁部を上下へ折り曲げて折り曲げ部を形成した基板の中央部に貫通孔を形成し、該基板の側辺部間に可撓性を有する部材を架け渡して該貫通孔を被覆してなる物品保持部材において、該可撓性部材は左右両端部が重なるように折り返し部を形成し、その両端部が重なる位置を重合部とし、且つ該重合部を物品の挿入出口とした押し潰した形状の筒状体を形成し、該重合部が該貫通孔の略中央部に位置するように該折り曲げ部に該筒状体の開放部となる両側縁部を固定してなる物品保持部材（特許文献１）が提案されている。
【０００３】
また、物品を保持する折曲板体の中央片部の左・右に所定間隔を有して複数の折り曲げ部を設けることにより複数の側片部及び折り曲げ片部を各々形成し、上記左・右の最外部に位置する折り曲げ片部に該可撓性フィルムの両端部を固定し、該中央片部、該側片部及び該折り曲げ片部上に該可撓性フィルムを跨るようにして浮かせて配設し、該左・右の複数の側片部の折り曲げにより該両端部の固定間寸法の変動を物品保持のための可撓性フィルムの引張力調整手段としてなる折曲板体と可撓性フィルムとを組み合わせた緩衝部材（特許文献２）が提案されている。
【０００４】
そしてまた、折曲板体と該折曲板体上の可撓性フィルム間に生じる間隙に物品を保持する緩衝部材において、折曲板体の物品を保持する部分の中央片部周囲に上下及び左右に折り曲げ部を設けて小寸法の立ち上げ片を形成し、該中央片部の四隅外方となる該小寸法の立ち上げ片部に左右及び左右の上下側切欠部を設けることにより小寸法の立ち上げ片部の端部側が該切欠部の内側に入り込むように形成し、外方の折り曲げ部に連続形成した外方上片部、外方下片部は該中央片部の裏側に、左立ち上げ片部、右立ち上げ片部は該中央片部に対して垂直方向へ折り曲げることを可能とした緩衝部材（特許文献３）が提案されている。
【０００５】
そしてまた、板体又は板体に固定した下側可撓性フィルム等の板体の役割を成す下側支持体及び両端部を該板体に固定した固定部と該固定部間を物品を押え付ける伸縮自在な非固定部とした可撓性フィルムの上側押え付け手段とよりなる緩衝用物品収納体において、該上側押え手段となる可撓性フィルムは、一つの該下側支持体上に配置される異なる大きさの物品を同時に押えることのできる伸縮自在片とした緩衝用物品収納体（特許文献４）が提案されている。
【０００６】
さらにまた、板体と該板体の一部を切断、折り曲げし、中央部に矩形状の物品載置片、その周辺部に各種折り曲げ片を形成し、該物品載置片上に物品挿入用非固定部を設けた可撓性フィルムを敷設固定し、該物品載置片と可撓性フィルム間を物品の収納部とした緩衝用物品収納体において、該物品載置片周辺部の折り曲げ片の内、該可撓性フィルムの固定部側となる緩衝用弾発片を端縁部の折り曲げ部から該物品載置片の裏面側へ回し込み折り曲げ形成し、該緩衝用弾発片を物品載置片の弾力的持ち上げ片とした緩衝用物品収納体（特許文献５）が提案されている。
【先行技術文献】
【特許文献】
【０００７】
【特許文献１】特開２００５−８２４４号公報
【特許文献２】実登第３１７８２５２号公報
【特許文献３】実登第３１８１２９４号公報
【特許文献４】実登第３１８９３７７号公報
【特許文献５】実登第３１９２６８９号公報
【発明の概要】
【発明が解決しようとする課題】
【０００８】
従来、特許文献１等に記載されているように、物品保持部材ヘの物品の装入は、物品保持部材の両端部が固着された可撓性シートの開放された側方から物品を挿入し、かかる物品が装入された保持部材を収納ボックスに嵌入するという、２ステップで物品装入ボックスが作られ、梱包作業が完了していたが、この方法では、物品をまず物品保持部材に装入し、次いで物品が物品保持部材に装入された物品装入部材を収納ボックスに嵌入することにより梱包作業を終了させていたため、梱包する物品数や物品の種類が多くなると、物品保持部材の保管スペースと収納ボックスの保管スペースが個別に必要となり、広い作業スペースが必要となる上に、２ステップとなるため梱包作業に時間を要し、作業効率が悪かった。また、物品装入ボックスから物品を取り出す際には、まず物品装入ボックスから物品が装入された保持部材を取り出し、取り出した物品装入部材から物品を離脱させるという、２ステップで物品を取り出すという煩わしさがあった。
【０００９】
本発明の課題は、物品の緩衝機能を有する収納ボックス内への物品の保持作業（装入作業）、及び物品が装入されたボックス内の物品の取出作業の効率化を図ることができる物品保持部材や、該物品保持部材が嵌入されている収納ボックスである物品保持ボックスを提供することにある。本発明の課題はまた、物品保持ボックスへの簡便な１ステップ物品装入方法を提供することにある。
【課題を解決するための手段】
【００１０】
本発明者らは、上記課題を解決するため、種々の物品保持部材を試作していたところ、矩形状の基板の全面にわたって架け渡す可撓性フィルムとして、たまたま２枚の可撓性フィルムを並べ、それらの両端部を固着した物品保持部材を作製した。そしてこの作製した物品保持部材を用いて、可撓性フィルムの開放された側方と基板の隙間からスマートフォンを挿入したところ、スマートフォンの先端が２枚の可撓性フィルムの切目（継目）からフィルムの上側に誤って現れ出た。このことにヒントを得て、発想を転換してみた。すなわち、２枚のフィルムの切目（継目）から一方のフィルムの下にスマートフォンの大部分を潜り込ませ、残りの部分を他方のフィルムの下に潜り込ませ、その後スマートフォンを基板の中央部に移動させることにより、物品保持部材にスマートフォンを装入することができることを見いだした。そして、物品保持部材をあらかじめ収納ボックスに嵌入しておき、この嵌入された物品保持部材にスマートフォンを装入することができることを確認した。本発明はかかる知見に基づいて完成するに至ったものである。
【００１１】
すなわち、本発明は、以下のとおりである。
［１］矩形状の基板と、該基板に隣接する一方の対向する周縁部位を上方側へ約９０度折り曲げ、他方の対向する周縁部位を下方側へ折り曲げて形成された、それぞれ一対の折曲げ上辺部及び折曲げ下辺部と、その両端が前記一対の折曲げ下辺部に固着され、前記基板の全面にわたって架け渡されてなる可撓性を有すシート部材とを有し、前記可撓性を有すシート部材には、基板とシート部材との間に物品を装入するためのスリット状の物品挿入口が設けられていることを特徴とする物品保持部材。
［２］他方の対向する周縁部位が、下方側へ約９０度折り曲げられていることを特徴とする前記［１］の物品保持部材。
［３］可撓性を有すシート部材が、折曲げ上辺部に隣接する基板両端部にも固着されていることを特徴とする前記［１］又は［２］の物品保持部材。
［４］折曲げ下辺部の高さ方向の長さをｂ、基板の折曲げ下辺部同士の間の長さをａとしたとき、ｂ：ａが１：５〜１：７であることを特徴とする前記［１］〜［３］のいずれかの物品保持部材。
［５］一対の折曲げ上辺部が、各両端部において約９０度外側に折り曲げられて、緩衝上端片を形成していることを特徴とする前記［１］〜［４］のいずれかの物品保持部材。
［６］一対の折曲げ上辺部が、そのほぼ中央部に取手孔を有することを特徴とする前記［１］〜［５］のいずれかの物品保持部材。
［７］前記［１］〜［６］のいずれかの物品保持部材が嵌入されたことを特徴とする物品保持ボックス。
［８］前記［７］の物品保持ボックスの上蓋を開け、物品保持部材の可撓性シート部材のスリット状の物品挿入口から物品を装入することを特徴とする物品の保持方法。
【発明の効果】
【００１２】
本発明によると、梱包する物品数や物品の種類が多くなっても、物品保持部材を収納ボックス内に嵌入しておいた物品保持ボックスをあらかじめ準備し、これら物品保持ボックスを縦に積み上げておくことにより広い作業スペースの必要がなくなる。また物品の梱包に際しては、物品保持ボックスの上蓋となる外内フラップを開口し、物品保持部材に物品を挿入・保持（装入）することができる。他方、物品を取り出す際には、物品が装入されている物品装入部材を収納ボックスから取り出すことなく、物品装入部材からそのまま物品を取り外すことができるので、作業効率が向上する。
【図面の簡単な説明】
【００１３】
【図１】本発明の物品保持部材（組立体）と、該物品保持部材が嵌入される収納ボックスの斜視図である。
【図２】本発明の物品保持部材の展開平面図である。
【図３】物品が物品保持部材に装着された本発明における物品装入部材（組立体）の斜視図である。
【発明を実施するための形態】
【００１４】
（定義）
本発明において、「物品保持部材」とは、基板とシート部材との間に物品を挟持して保持する部材を、「物品装入部材」とは、物品保持部材に物品が挿入・保持（装入）されている部材を、「収納ボックス」とは、物品保持部材や物品装入部材を嵌入・収納するためのボックスを、「物品保持ボックス」とは、物品保持部材が嵌入されている収納ボックスを、「物品装入ボックス」とは、物品装入部材が嵌入されている収納ボックスを、それぞれ意味する。また、物品装入ボックスの上蓋が閉じられたものを梱包体と呼ぶことがある。ここで「装入」とは、入れることによって装着することを意味する。
【００１５】
（実施形態）
この発明の実施形態を、図１〜図３を参照して以下に説明する。なお、以下の説明において、「前」とは、図１〜図３の物品装入部材を⇒から見て手前側をいい、「後」とは同奥側をいうものとする。また、「左右」とは、前から見た場合の左右をいうものとする。
【００１６】
本発明の物品保持部材１は、図１〜図３に示されているように、矩形状の基板２と、該基板２の左右端部側で隣接する対向する周縁部位をそれぞれ上方側へ約９０度折り曲げて形成された一対の折曲げ上辺部３、３と、前記基板２の前後端部側で隣接する対向する周縁部位をそれぞれ下方側へ折り曲げて、好ましくは約９０度折り曲げて形成された一対の折曲げ下辺部６、６と、その両端が前記一対の折曲げ下辺部６、６の可撓性フィルム固着部７、７に固着され、前記基板２の全面にわたって架け渡されてなる可撓性を有する２枚のシート部材８、８とを有し、前記可撓性を有すシート部材８、８には、スリット状の物品挿入口９が形成され、基板２とシート部材８、８との間に前記物品挿入口９を介して物品Ｗが挿入・挟持されて保持・装入される。
【００１７】
上記基板２、折曲げ上辺部３、３及び折曲げ下辺部６、６は、段ボール紙や厚紙等で作られ、可撓性を有すシート部材８、８は、伸縮性を有するフィルム部材、包帯等に使用されるウレタン糸の伸縮性のある部材、ゴム系の部材、及びそれらを組み合わせた複合部材の布状や帯状のもの、あるいはそれらをネット状に編み上げたもの等を使用することができる。また、収納ボックスは通常紙製段ボール箱やプラスチック製段ボール箱である。
【００１８】
折曲げ下辺部６、６は、下方側へ約４５度〜１８０度折り曲げられる。基板２と収納ボックス底面との間の空間はバッファースペースとなり、落下した際の衝撃を吸収することができる。かかるバッファースペースの確保の点で折曲げ下辺部６、６は下方側へ約９０度折り曲げることが好ましい。また、折曲げ下辺部６、６の高さ方向の長さ（図２におけるｂ）と、基板の折曲げ下辺部同士の間の長さ、すなわち基板の前後方向の長さ（図２におけるａ）との比（ｂ：ａ）が１：５〜１：７であることが、基板に対する折曲げ下辺部の面積比が小さく、その結果板状段ボール紙や可撓性フィルムなどの使用量が減少することから資源節約の点で好ましい。また、基板２と収納ボックス底面との間の空間はバッファースペースになるが、折曲げ下辺部６、６の高さ方向の長さ（図２におけるｂ）が相対的に小さくなるとバッファースペースが減少するものの、物品装入ボックスの体積が減少して梱包体の小型化が図れる。
【００１９】
一対の折曲げ上辺部３、３の各両端部において約９０度外側に折り曲げられて、緩衝上端片となる折曲げ上辺両端部４、４、４’、４’を形成することが好ましい。かかる折曲げ上辺両端部４、４、４’、４’は、収納ボックスの前後内面と面接触することにより物品装入部材の前後方向のガタツキを防止することができる。また、折曲げ上辺両端部４、４、４’、４’が収納ボックス１０の前後内面と面接触する結果、折曲げ上辺両端部４、４、４’、４’の左右両端も補強されるとともに、折曲げられた上辺部３、３の左右両側には付属品装入ポケットともなりうるバッファースペースが形成される結果、物品装入部材の左右方向のガタツキをも防止することができるとともに、左右方向からの衝撃に耐えることができる。
【００２０】
可撓性シート部材８、８における物品挿入口９は、１枚の可撓性シート部材を左右に切り裂くことにより形成してもよく、また、２枚の可撓性シート部材８、８を隣接して、一部重複して、又は一部離間して固着することにより形成することもできる。また、可撓性シート部材８、８の左右両端部は、折曲げ上辺部３、３に隣接する基板両端部を固着部７’、７’とすることもできるが、図２に示されているように基板両端部を超えて折曲げ下辺部の可撓性シート部材固着部７、７にまで延長して固着部７’、７’とすることもできる。このように、固着部７、７に加えて固着部７’、７’を撓性シート部材８、８に設けることにより、物品保持部材１に装入された物品Ｗが４方向から挟持され、その結果物品Ｗをより安定的に保持することができる。そして、可撓性シート部材８、８の固着には、接着剤やヒートシールを用いることができる。
【００２１】
また、物品保持ボックスから物品保持部材の取出や、あるいは物品装入ボックスから物品装入部材の取出を容易なものとするために、一対の折曲げ上辺部３、３の略中央部分に折曲げ上辺取手孔５、５を設けることもできる。
【００２２】
本発明の物品保持部材１の使用形態としては、物品保持部材１に物品Ｗを装入した物品装入部材（図３参照）を収納ボックス１０に嵌入する形態でもよいが、物品保持部材１をあらかじめ収納ボックス１０に嵌入し、この物品保持ボックス中の物品保持部材１に物品Ｗを装入する形態が好ましい。したがって、本発明の物品保持部材１は「物品保持ボックス作製用」という用途も有する。
【００２３】
本発明の物品保持ボックスとしては、上記本発明の物品保持部材１が収納ボックス１０に嵌入されているものであれば特に制限されず、収納ボックス１０に物品保持部材１を嵌入するために、物品保持部材（組立体）１の前後方向の外寸は収納ボックス１０の前後方向の内寸より少し小さく、物品保持部材（組立体）１の左右方向の外寸は収納ボックス１０の左右方向の内寸より少し小さく構成されており、前後左右方向のガタつきが防止されている。
【００２４】
また物品保持部材（組立体）１の上下方向（高さ方向）の外寸が収納ボックス１０の上下方向（高さ方向）の内寸より少し小さく構成されており、上下方向（高さ方向）のガタつきが防止されている。すなわち、折曲げ下辺部の下端が収納ボックスの底板裏面に接し、折曲げ上辺部の上端が略収納ボックスの天板裏面に接することにより上下方向（高さ方向）のガタつきが防止されている。
【００２５】
上記物品保持ボックス中の物品保持部材１に物品Ｗを装入するには、収納ボックス１０の上蓋（外内フラップ）を開口し、この開口部から、物品Ｗを物品保持部材１における物品挿入口９から装入する。物品Ｗの装入は、物品挿入口９から可撓性シート部材８を少し摘み上げて物品Ｗの左側（右側）の大部分又は全部を可撓性シート部材８に挿入し、次いで可撓性シート部材８を少し摘み上げて物品Ｗの右側（左側）の一部を可撓性シート部材８に挿入した後、物品Ｗが基板２の中央に来るように位置決めすることにより行われる。
【００２６】
本発明の物品の保持方法としては、本発明の物品保持部材１が嵌入されている収納ボックス１０である物品保持ボックスの上蓋を開け、物品を物品保持部材１の可撓性シート部材８、８のスリット状の物品挿入口９から装入する方法であれば特に制限されず、本発明の物品の保持方法によると、あらかじめ物品保持ボックスを作りおきしておくことができるので、多数の物品Ｗや多品種の物品Ｗへの梱包効率のよい速やかな対応が期待できる。
【産業上の利用可能性】
【００２７】
本発明は、物流産業において有用である。
【符号の説明】
【００２８】
１        物品保持部材
２        基板
３        折曲げ上辺部
４、４’  折曲げ上辺両端部
５        折曲げ上辺取手孔
６        折曲げ下辺部
７、７’  可撓性シート部材固着部
８        可撓性シート部材（可撓性フィルム）
９        可撓性シート部材における物品挿入口
１０        収容ボックス
Ｗ        物品 
【図１】
2020001735.tif 000003
【図２】
2020001735.tif 000004
【図３】
2020001735.tif 000005